(57)【要約】【課題】取付穴にアンカーアンカーボルトを取り付ける際に損傷がなく、容易に且つ強固に固定することが可能なタイトニックマジックナットを提供する。【解決手段】円筒形状をなし、内周面に雌ねじ１２ａが刻設され、外周面に環状溝１２ｂが設けられ、該環状溝は、底面１２ｃが一側から他側までテーパ状に拡径するナット１２と、ばね性を有する部材から成り、内周面１３ｂが環状溝の底面１２ｃに応じて一端１３ｄから他端１３ｅまでテーパ状に拡径され、一端の外径がナットの外径よりも大径とされ、他端の外径がナットの外径と略同径とされて外周面１３ｃがテーパ状に縮径され、側壁にスリット１３ｇが設けられて拡径・縮径可能とされ、環状溝１２ｂに軸方向に移動可能に外嵌される戻り止めリング１３とを備えた構成としたものである。【選択図】      図１
2004270739.tif 000002
【特許請求の範囲】
【請求項１】
円筒形状をなし、内周面に雌ねじが刻設され、外周面に環状溝が設けられ、該環状溝は、底面が一側から他側までテーパ状に拡径するナットと、ばね性を有する部材から成り、内周面が前記環状溝の底面に応じて一端から他端までテーパ状に拡径され、前記一端の外径が前記ナットの外径よりも大径とされ、前記他端の外径が前記ナットの外径と略同径とされて外周面がテーパ状に縮径され、側壁にスリットが設けられて拡径・縮径可能とされ、前記環状溝に軸方向に移動可能に外嵌される戻り止めリングと
を備えたことを特徴とするタイトニックマジックナット。
【請求項２】
前記ナットは、雌ねじの谷の角度が５９°であることを特徴とする請求項１記載のタイトニックマジックナット。
【請求項３】
前記戻り止めリングは、前記環状溝の一側において縮径可能とされ、縮径されたときに前記一端の外径が前記ナットの外径と同径とされ、前記環状溝の他側に移動するときに前記環状溝の底面により拡径されることを特徴とする請求項１記載のタイトニックマジックナット。
【発明の詳細な説明】
【０００１】
【発明の属する技術分野】
本発明は、コンクリート床やその他の基礎に機械類等を据え付けて固定するためアンカーボルトの固定部材として好適なタイトニックマジックナットに関する。
【０００２】
【従来の技術】
例えば、コンクリート床に機械類を据え付ける場合、図９（ａ）に示すように据付部材１の取付穴１ａに合わせてコンクリート床２に取付穴２ａを穿設し、アンカーボルト例えば、芯棒打込み式アンカーボルト３を挿入し、先端を穴２ａの底面に突き当てた後芯棒４を打ち込んでアンカーボルト３の先端３ａを拡径して穴２ａの内周面に圧接させて固定し（同図（ｂ））、固定ナット５を締め付けて据付部材１を固定する（同図（ｃ））ようにした工法がある。
【０００３】
或いは、図１０（ａ）に示すようにコンクリート床２に穿設した取付穴２ａに、先端部６ａがコマ状（円錐台形状）に拡径するコマタイプのアンカーボルト６を挿入して取付穴２ａの底面に先端を突き当てた後、先端外周面に環状に凸部７ａが設けられ且つ軸方向にスリット７ｂが設けられた円筒部材７を挿入し治具８を介して床面と面一になるまで打ち込み、アンカーボルト６の先端部６ａの円錐面により円筒部材７の先端部を拡径させて凸部７ａを取付穴２ａの内周面に食い込ませてアンカーボルト６を固定し、据付部材１を取り付けて固定ナット９を締め付けて固定する（同図（ｂ））工法もある。これらの工法は、周知である。
【０００４】
【発明が解決しようとする課題】
しかしながら、上記従来のアンカーボルト３、６は、何れもコンクリート床２の取付穴２ａに打ち込んで固定する構造であるために打ち込みに手間がかかり、しかも、打ち込み時にコンクリートの損傷が大きい。特に、図１０に示すように先端部６ａがコマ状に拡径するコマタイプのアンカーボルト６においては円筒部材７の打ち込みに構造上無理があり、且つ円筒部材７の上端面を床面と面一になるまで打ち込む必要があり、打ち込みに非常に手間がかかり、取付穴２ａの内周面の損傷も大きい。また、これらのアンカーボルト３、６は、構造上取付穴２ａの底面に先端を突き当てることが必要であり、貫通孔に対しては使用することができない。
【０００５】
また、据付部材の移設等によりアンカーボルト３や６が不要となった場合には取り外すことが不可能であり、これらのアンカーボルトを根本から切断するより外はなく手間がかかり、そのまま放置した場合には躓いたりするおそれがある。更に、コンクリートのベランダ等においては、手すり等を取り付ける際に上記構造のアンカーボルト使用する場合、アンカーボルトがベランダの取付穴を大きな力で拡径するためにベランダの損傷が甚だしく、薄肉のベランダ等においては取付部やその近傍を破壊してしまうおそれもある。
【０００６】
本発明は、上述の点に鑑みてなされたもので、取付穴にアンカーボルトを取り付ける際に損傷がなく、容易に且つ強固に固定することが可能なタイトニックマジックナットを提供することを目的とする。
【０００７】
【課題を解決するための手段】
上記目的を達成するために請求項１の発明では、タイトニックマジックナットは、円筒形状をなし、内周面に雌ねじが刻設され、外周面に環状溝が設けられ、該環状溝は、底面が一側から他側までテーパ状に拡径するナットと、ばね性を有する部材から成り、内周面が前記環状溝の底面に応じて一端から他端までテーパ状に拡径され、前記一端の外径が前記ナットの外径よりも大径とされ、前記他端の外径が前記ナットの外径と略同径とされて外周面がテーパ状に縮径され、側壁にスリットが設けられて拡径・縮径可能とされ、前記環状溝に軸方向に移動可能に外嵌される戻り止めリングとを備えたことを特徴とする。
【０００８】
例えば、コンクリート床に機械等の据付部材を据え付ける場合、タイトニックマジックナットの環状溝に外嵌されている戻り止めリングの一端（大径端）が床面に設けた取付穴への挿入方向に対して後側となるようにアンカーボルトに螺合して取り付け、前記取付穴に嵌挿して取付穴の底面にアンカーボルトの先端を突き当てた後、床面から突出するアンカーボルトの上部を前記据付部材の取付穴に嵌挿して固定ナットにより締付固定する。戻り止めリングは、取付穴に挿入する際には環状溝の一側に位置し、取付穴の内周面によりばね力に抗して縮径されて当該取付穴への挿入が可能とされる。戻り止めリングは、ばね力により拡径しようとして取付穴の内周面に圧接している。取付穴の固定ナットを締め付けると、これに伴いアンカーボルト及びタイトニックマジックナットが引っ張られて取付穴内を戻るように力を受ける。このとき戻り止めリングの一端（大径端）の周縁部がばね力により取付穴の内周面に食い込んで当該位置に係止される。ナットの環状溝の底面及び戻り止めリングの内周面がテーパ面をなしていることで、前記固定ナットの戻り方向への移動に応じて戻り止めリングが拡径され、前記一端が更に取付穴の内周面に食い込むこととなる。即ち、アンカーボルトに加わる引張力に応じて戻り止めリングの一端が取付穴の内周面に食い込んで戻りを阻止する。これにより、前記据付部材を強固に固定することができる。タイトニックマジックナットは、取付穴への挿入に際しては戻り止めリングが縮径して容易に挿入可能とされることで、コンクリート床等の損傷を防止することができる。
【０００９】
請求項２の発明では、前記ナットは、雌ねじの谷の角度が５９°であることを特徴とする。
一般のアンカーボルトは、山形の角度が６０°であり、上記タイトニックマジックナットの雌ねじの谷の角度が５９°であることで、前記アンカーボルトに螺合させたときにねじ部に締付力が発生して緩みが防止される。これにより、アンカーボルトにタイトニックマジックナットを緩むことなく螺合させることができる。
【００１０】
請求項３の発明では、前記戻り止めリングは、前記環状溝の一端側において縮径可能とされ、縮径されたときに前記一端の外径が前記ナットの外径と同径とされ、前記環状溝の他端側に移動するときに前記環状溝の底面により拡径されることを特徴とする。
アンカーボルトの先端にタイトニックマジックナットを螺合して取付穴に挿入する際に戻り止めリングが環状溝の一端側に移動して前記取付穴の内周面によりばね力に抗して縮径され、外径がアンカの外径と同径とされることで、前記タイトニックマジックナットの前記取付穴への挿入が容易となる。前記アンカーボルトに戻り方向の力が作用すると戻り止めリングの一端がばね力により取付穴の内周面に食い込んで当該位置に係止され、更に戻り方向の力が作用すると相対的に環状溝内を他側に移動し、これに伴い環状溝のテーパ状の底面により拡径されて前記一端が取付穴の内周面に更に食い込み、前記アンカーボルトの戻りを阻止する。
【００１１】
【発明の実施の形態】
以下本発明に係わるタイトニックマジックナットの実施形態を図面により詳細に説明する。
図１は、本発明に係るタイトニックマジックナットの実施形態を示す断面図である。図１に示すようにタイトニックマジックナット（以下単に「マジックナット」という）１１は、ナット１２と戻り止めリング１３とから成り、ナット１２は、厚肉の円筒形状をなし、内周面に雌ねじ１２ａが刻設され、外周面に環状溝１２ｂが設けられている。雌ねじ１２ａは、通常の右ねじのアンカーボルト１５が螺合可能な右ねじとされている。環状溝１２ｂの底面１２ｃは、当該環状溝１２ｂの上側面１２ｄ側が深く、下側面１２ｅ側が浅く、上端側から下端側に向かって拡径するいテーパ面をなしている。また、ナット１２は、上端１２ｆの外周面は面取りされて戻り止めリング１３が装着し易くされており、下端１２ｇの外周面が面取りされて取付穴への挿入を容易とされている。
【００１２】
図２に示すように雌ねじ１２ａは、谷の角度θがアンカーボルト１５の雄ねじ１５ａの山形の角度θ’よりも僅かに小さい角度とされている。一般に、機械部分を締結するためのボルトは、雄ねじの山形の断面が正三角形に近い所謂三角ねじが広く使用されており、山形の角度は、６０°とされている。そこで、ナット１２は、雌ねじ１２ａの谷の角度θが５９°とされている。これにより、ナット１２にアンカーボルト１５を螺合したときにナット１２の雌ねじ１２ａに締付力が発生して緩み難くなる。このナット１２は、例えば、クロム鋼で形成されている。
【００１３】
図３に示すように戻り止めリング１３は、高さ（幅）が環状溝１２ｂの溝幅よりも狭い例えば、略半分程度とされ、側壁１３ａの内周面１３ｂが上端１３ｄから下端１３ｅに向かってテーパ状に拡径するテーパ面とされ、外周面１３ｃが上端１３ｄから下端１３ｅに向かってテーパ状に縮径するテーパ面とされており、上端１３ｄの外周縁部１３ｆが鋭角となっている。これらの内周面１３ｂ、外周面１３ｃは、ナット１２の環状溝１２ｂの底面１２ｃと同じ角度のテーパ面とされている。また、側壁１３ａには上端１３ｄから下端１３ｅまでスリット１３ｇが設けられており、拡径・縮径可能とされている。この戻り止めリング１３は、例えば、クロム鋼を焼入して形成されておりばね性を有している。戻り止めリング１３は、自由状態において上端１３ｄの外径がナット１２の外径よりも僅かに大径とされ、下端１３ｅの外径がナット１２の外径と同径又は僅かに小径とされている。
【００１４】
戻り止めリング１３は、図１に示すようにナット１２の上端１２ｆからばね性に抗して拡径されて環状溝１２ｂの上側に外嵌される。戻り止めリング１３が環状溝１２ｂに外嵌された状態において内周面１３ｂと環状溝１２ｂの底面１２ｃとの間に僅かな隙間ｇが形成され、上端１３ｄの外周縁部１３ｇがナット１２の外周面よりも前記隙間ｇ分張り出している。戻り止めリング１３は、縮径されて内周面１３ｂが環状溝１２ｂの底面１２ｃに当接したときに上端１３ｄがナット１２と同径となり、外周縁部１３ｆがナット１２の外周面と面一となる。
【００１５】
以下に作用を説明する。
図１に示すようにアンカーボルト１５の先端１５ｂにマジックナット１１を取り付ける。このときナット１２の下端１２ｇがアンカーボルト１５の先端１５ｂ側に位置するように即ち、下端１２ｇが取付穴の底面と対向するように螺合し、下端１２ｇとアンカーボルト１５の先端面１５ｃとを面一、又はアンカーボルト１５の先端１５ｂをナット１２の下端１２ｅよりも突出させる。尚、アンカーボルト１５へのマジックナット１１の取付位置は、取付穴の深さに応じて適宜の位置に設定すればよい。ナット１２は、雌ねじ１２ａの谷の角度がアンカーボルト１５の雄ねじ１５ａの山形の角度よりも僅かに小さい角度とされていることでアンカーボルト１５に緊締される。
【００１６】
次いで、図５（ａ）に示すように例えば、コンクリート床２に穿設された取付穴２ａに挿入してナット１２の下端１２ｇ、アンカーボルト１５の先端面１５ｃを取付穴２ａの底面に突き当てる。尚、取付穴２ａは、ナット１２の外径と同径とされ、ナット１２を僅かな力で打ち込み可能とされている。このとき、図６（ａ）に拡大して示すように戻り止めリング１３は、上端１３ｄが環状溝１２ｂの上側面１２ｄに当接して係止され、取付穴２ａの内周面によりばね力に抗して縮径されて内周面１３ｂが環状溝１２の底面１２ｃに当接し、挿入方向前端である下端１３ｅがナット１２の外周面よりも僅かに小径となり、一端１３ｄの周縁部１３ｆが取付穴２ａの内周面に圧接した状態で当該取付穴２ａに挿入される。これにより、取付穴２ａの内周面に損傷を与えることなく取付穴２ａにマジックナット１１を装着したアンカーボルト１５を容易に取り付けることができる。尚、図６において分かり易くするためにコンクリート床２のハッチングを省略してある。
【００１７】
戻り止めリング１３は、取付穴２ａの底面にナット１２の下端１２ｇを突き当てた状態においてばね力により上端１３ｄの外周縁部１３ｆが取付穴２ａの内周面に圧接しており、且つ上端１３ｄの周縁部１３ｆが鋭角をなしていることで当該内周面に食い込み易い状態になっている。
次いで、図５（ｂ）に示すようにアンカーボルト１５に据付部材１を取り付け、固定ナット１６を螺合して締め付ける。固定ナット１６の締付に伴いアンカーボルト１５が上方（矢印Ａ方向）に引っ張られ、これに伴いナット１２が上方に引っ張られる。一方、戻り止めリング１３は、上端１３ｄの周縁部１３ｆが取付穴２ａの内周面に食い込み易い状態になっており、内周面１３ｂ、環状溝１２ｂの底面１２ｃがテーパ面をなし、且つ内周面１３ｂが環状溝１２ｂの底面１２ｃに当接していることで、ナット１２が上方へ移動するとこれに伴い環状溝１２ｂの底面１２ｃが戻り止めリング１３を確実に拡径する。この結果、図６（ｂ）に拡大して示すように戻り止めリング１３の上端１３ｄの周縁部１３ｆが取付穴２ａの内周面に食い込み、アンカーボルト１５を固定する。
【００１８】
戻り止めリング１３は、アンカーボルト１５が上方に引っ張られるに伴いナット１２の環状溝１２ｂの底面１２ｃにより拡径されて上端１３ｅの周縁部１３ｆが取付穴２ａの内周面に食い込み、大きな係止力でアンカーボルト１５を固定する。即ち、戻り止めリング１３のアンカーボルト１５を固定する力は、当該アンカーボルト１５に作用する矢印Ａ方向の荷重に応じて大きくなる。これにより、据付部材１をコンクリート床１に強固に固定することができる。
【００１９】
据付部材１を移設してアンカーボルト１５が不要となった場合には、当該アンカーボルト１５をナット１２から取り外すことでコンクリート床２の床面から簡単に除去することができる。アンカーボルト１５を取り外した後取付穴２ａを埋め戻しても良い。
また、アンカーボルト１５としては、通常のボルト（棒ねじ）を使用することができる。従って、仕様に応じて適宜の長さのボルト（棒ねじ）を使用することができ、使い勝手がよく、コストの低減も図られる。
【００２０】
尚、上記実施例では、アンカーボルト１５にマジックナット１１を１個装着して使用する場合について説明したが、据付部材１を強固に固定するような場合には図７に示すようにアンカーボルト１５にマジックナット１１を複数例えば、２個装着してアンカーボルト１５の引張荷重を高くすることもできる。
また、上記実施例ではマジックナット１１のナット１２を取付穴２ａの底面に突き当てて使用する場合について説明したが、これに限るものではなく図８に示すように例えば、壁面２０の貫通孔２０ａにも適用することが可能である。
【００２１】
更に、マジックナット１１は、取付穴に取り付ける際に当該取付穴やその近傍の部位に損傷を与えることがないためにコンクリートベランダ等の薄肉の部位にも取り付けることが可能である。
図４は、戻り止めリング１３の第２実施形態を示し、戻り止めリング１３の側壁１３ａにスリット１３ｇと反対側に、厚肉の上端１３ｄから略中央近傍までスリット１３ｈを入れて、拡径・縮径を容易としたものである。特に、戻り止めリング１３が小径の場合には２つのスリット１３ｇ、１３ｈを設けることで、拡径、縮径が容易となる。
【００２２】
【発明の効果】
以上説明したように、本発明によれば、タイトニックマジックナットは、アンカーボルトに螺合されて取付穴に挿入されるときには戻り止めリングが環状溝の一側に位置し前記取付穴の内周面によりばね力に抗して縮径されて前記取付穴に挿入され、前記アンカーボルトが引っ張られると前記戻り止めリングの一端周縁部がばね力により前記取付穴の内周面に食い込んで当該位置に係止されてアンカーボルトの戻りを阻止することで、前記取付穴にアンカーボルトを容易に取り付けることができ、且つ据付部材を強固に固定することができる。
【００２３】
また、タイトニックマジックナットは、取付穴への挿入に際しては戻り止めリングが縮径して容易に挿入可能とされることで、コンクリート床等の取付部の損傷を防止することができる。また、構成が極めて簡単であり、低コストで提供することが可能である。
請求項２の発明では、タイトニックマジックナットの雌ねじの谷の角度が一般のアンカーボルトの雄ねじの山形の角度６０°よりも僅かに小さい５９°とされていることで、アンカーボルトに螺合させたときにねじ部に締付力が発生して緩みが防止される。
【００２４】
請求項３の発明では、前記戻り止めリングは、前記環状溝の一端側において縮径可能とされ、縮径されたときに前記一端の外径が前記ナットの外径と同径とされることで前記取付穴への挿入が容易となり、前記環状溝の他端側に移動するときに前記環状溝の底面により拡径されることで前記アンカーボルトに戻り方向の力が作用すると戻り止めリングの一端がばね力により取付穴の内周面に食い込んで当該位置に係止され、且つ戻り方向の力に応じて相対的に環状溝内を他端側に移動して拡径されて前記一端が取付穴の内周面に更に食い込み、前記アンカーボルトを強固に固定することが可能となる。
【図面の簡単な説明】
【図１】本発明に係るタイトニックマジックナットの実施形態を示す断面図である。
【図２】図１に示すタイトニックマジックナットの雌ねじ部とアンカーボルトのねじ部との関係を示す説明図である。
【図３】図１に示す戻り止めリングの一部切欠正面図である。
【図４】戻り止めリングの第２実施形態を示す一部切欠正面図である。
【図５】図１に示すタイトニックマジックナットの使用例を示す説明図である。
【図６】図５に示すタイトニックマジックナットの要部拡大図である。
【図７】図１に示すタイトニックマジックナットの他の使用例を示す説明図である。
【図８】図１に示すタイトニックマジックナットの他の使用例を示す説明図である。
【図９】従来の芯棒打込み式アンカーボルトの使用例を示す説明図である。
【図１０】従来のコマタイプのアンカーボルトの使用例を示す説明図である。
【符号の説明】
１  据付部材
２  コンクリート床
２ａ  取付穴
１１  タイトニックマジックナット
１２  ナット
１２ａ  雌ねじ
１２ｂ  環状溝
１３  戻り止めリング
１５  アンカーボルト
１６  固定ナット
【図１】
2004270739.tif 000003
【図２】
2004270739.tif 000004
【図３】
2004270739.tif 000005
【図４】
2004270739.tif 000006
【図５】
2004270739.tif 000007
【図６】
2004270739.tif 000008
【図７】
2004270739.tif 000009
【図８】
2004270739.tif 000010
【図９】
2004270739.tif 000011
【図１０】
2004270739.tif 000012